(57)【要約】【課題】  ビデオ・オーディオ画像圧縮ソフトウェアの再生及びデジタル録音機能に対応可能な腕時計を提供する。【解決手段】  本考案の技術方案は、ＭＰ4ビデオ・オーディオ画像再生装置と腕時計装置との2つの部分を含むＭＰ4多機能腕時計において、ＭＰ4ビデオ・オーディオ画像再生装置が腕時計のケース内に取り付けられていることを特徴とするＭＰ4多機能腕時計である。使用者はそれで時間を正確に把握することは勿論のこと、いつでもどこででもＭＰ4フォーマットのビデオ・オーディオファイルと画像を楽しむことができ、且つ小容積で、携帯に便利、多機能で、操作が簡単である。【選択図】    図２
0003106538.tif 000002
【実用新案登録請求の範囲】
【請求項１】
ＭＰ4ビデオ・オーディオ画像再生装置と腕時計装置との2つの部分を含むＭＰ4多機能腕時計において、ＭＰ4ビデオ・オーディオ画像再生装置が腕時計のケース内に取り付けられていることを特徴とするＭＰ4多機能腕時計。
【請求項２】
前記ＭＰ4ビデオ・オーディオ画像再生装置が、スクリーン表示パネルと、制御パネルと、再生制御回路と、メモリとＵＳＢインターフェースとを含み、制御パネルとメモリがそれぞれ電気回路を介してケース内に設置された回路基板における再生回路と接続され、再生回路はＵＳＢインターフェースと接続されていることを特徴とする請求項１に記載のＭＰ4多機能腕時計。
【請求項３】
前記スクリーン表示パネルが腕時計と一つの表示パネルを共用したものであるか、又は単独に設置された個別の表示パネルであり、特に好ましくは、ＭＰ4の再生するビデオ・オーディオ、画像、動画及びファイルを明瞭に表示できるＴＦＴ液晶画像スクリーン表示パネルである、ことを特徴とする請求項２に記載のＭＰ4多機能腕時計。
【請求項４】
前記再生制御回路の電源部分が内蔵式充電池であり、外部充電回路がＵＳＢインターフェースを介して内蔵式充電池の充電回路と接続されることを特徴とする請求項２に記載のＭＰ4多機能腕時計。
【請求項５】
前記制御パネルが、ＭＰ4フォーマットのビデオ・オーディオファイルと画像を再生できるとともに、ＭＰ3/ＷＭＡフォーマットの音楽を再生できる複数の制御ボタンを含むことを特徴とする請求項２に記載のＭＰ4多機能腕時計。
【請求項６】
前記制御パネルが、ケースに固定され、複数の制御ボタンが人為的に配列されたパネル、又はケースに折り畳まれる、複数の制御ボタンが人為的に配列されたパネルである、ことを特徴とする請求項２又は請求項５に記載のＭＰ4多機能腕時計。
【請求項７】
前記制御パネルが複数の制御ボタンを人為的にケースの周縁における適当な位置に設置したものであることを特徴とする請求項２又は請求項５に記載のＭＰ4多機能腕時計。
【請求項８】
前記再生制御回路のオーディオ再生部分がＵＳＢインターフェースを介して外部スピーカーと接続されることを特徴とする請求項２に記載のＭＰ4多機能腕時計。
【請求項９】
ケース内に、音声情報を収集でき、録音回路及びメモリと接続される録音マイクを更に設置したことを特徴とする請求項１に記載のＭＰ4多機能腕時計。
【請求項１０】
ケース内に、持ち運び可能な記憶ディスクとして使用できるフラッシュディスクが内蔵されていることを特徴とする請求項１に記載のＭＰ4多機能腕時計。
【考案の詳細な説明】
【技術分野】
【０００１】
本考案は、主にビデオ・オーディオ画像圧縮ソフトウェアの再生及びデジタル録音機能に対応可能な腕時計に関する。
【背景技術】
【０００２】
現在のマーケットにおいて、ＭＰ3プレーヤーはオーディオファイルに対して圧縮して記憶することと、デコードして再生することができるが、ビデオファイルに対しては、より良い圧縮ソフトウェアと、そのソフトウェアに対応する再生メディアがない。今現在、音声及び画像を同時に、より小さい容量まで圧縮できるソフトウェア、すなわちＭＰ4があるが、当該ソフトウェアはＭＰＥＧ−2ＡＡＣ（ａ2ｂ又はａａｃと略称）技術を用いるものであり、その特徴は、ビデオ・オーディオファイルを小さいビットレート及び高い圧縮率で1：15まで圧縮できるとともに、その音質及び画質をより完璧にし、ＣＤ又はＤＶＤに相当する効果を達成する、というものである。
【考案の開示】
【考案が解決しようとする課題】
【０００３】
しかし、今現在、ＭＰ4ソフトウェアに対応可能な、より安定した、低価格、小容積で、携帯に便利な、一般消費者のニーズに合うメディアプレーヤーがないため、このソフトウェアの再生がＰＣに限られており、当該ソフトウェアの運用範囲がきわめて狭い範囲に限定されている。
【課題を解決するための手段】
【０００４】
本考案は、前記従来の欠点を克服し、使用者がそれで時間を正確に把握できることは勿論、いつでもどこででもＭＰ4フォーマットのビデオ・オーディオファイルと画像を楽しめ、且つ容積が小さく、携帯に便利で、多機能であり、多種類の周辺機器と接続可能で、操作が簡単な新型ＭＰ4多機能腕時計を提供することを目的とする。
【０００５】
本考案の技術方案は、ＭＰ4ビデオ・オーディオ画像再生装置と腕時計装置との2つの部分を含むＭＰ4多機能腕時計において、ＭＰ4ビデオ・オーディオ画像再生装置が腕時計のケース内に取り付けられていることを特徴とするＭＰ4多機能腕時計である。
【０００６】
前記のＭＰ4多機能腕時計において、前記ＭＰ4ビデオ・オーディオ画像再生装置が、スクリーン表示パネルと、制御パネルと、再生制御回路と、メモリとＵＳＢインターフェースとを含み、制御パネルとメモリがそれぞれ電気回路を通じてケース内に設置された回路基板における再生回路と接続され、再生回路がＵＳＢインターフェースと接続されている。
【０００７】
前記のＭＰ4多機能腕時計において、前記スクリーン表示パネルが腕時計と一つの表示パネルを共用してもいいし、また個々に設置された表示パネルであってもよく、特に好ましいものは、ＴＦＴ液晶画像スクリーン表示パネルであり、ＭＰ4が再生するビデオ・オーディオ、画像、動画及びファイルを明瞭に表示できる。
【０００８】
前記のＭＰ4多機能腕時計において、前記再生制御回路の電源部分が内蔵式の充電池であり、外部の充電源がＵＳＢインターフェースを介して内蔵式充電池の充電回路と接続されている。
【０００９】
前記のＭＰ4多機能腕時計において、前記制御パネルが、ＭＰ4フォーマットのビデオ・オーディオファイルと画像を再生し得り、またＭＰ3/ＷＭＡフォーマットの音楽も再生し得る複数の制御ボタンを含む。
【００１０】
前記のＭＰ4多機能腕時計において、前記制御パネルが、ケースに固定され、複数の制御ボタンが人為的に配列されたパネルであってもよく、またケースに折り畳まれる、複数の制御ボタンが人為的に配列されたパネルであってもよい。
【００１１】
前記のＭＰ4多機能腕時計において、前記制御パネルが複数の制御ボタンを人為的にケースの周縁における適当な位置に設置することができることを特徴とする。
前記のＭＰ4多機能腕時計において、前記再生制御回路のオーディオ再生部分がＵＳＢインターフェースを介して外部スピーカーと接続される。
【００１２】
前記のＭＰ4多機能腕時計において、ケース内に更に録音マイクが設置され、この録音マイクは音声情報を収集でき、録音回路及びメモリと接続される。
前記のＭＰ4多機能腕時計において、ケース内にフラッシュディスクを内蔵し、このフラッシュディスクは持ち運び可能な記憶ディスクとして使用できる。
【００１３】
前記構成のＭＰ4多機能腕時計によれば、普通の腕時計の全ての機能及び特徴を有するとともに、ＭＰ4が再生するビデオ・オーディオ、画像、動画及びファイルの機能を巧みに組み合わせたうえで、デジタル録音機や、移動式ハードディスクの機能を実現し、小容積で、携帯に便利、多機能であり、多種類の周辺機器と接続可能で、操作が簡単で、使用に便利である、という目的を実現し得る。その結果、種々の場合に適用できるものである。
【００１４】
ＭＰ4腕時計のこのような構成は、腕時計のみならず、同様に懐中時計や、ネックレス飾りや、頭飾り等に適用することができる。
【考案を実施するための最良の形態】
【００１５】
以下、添付図面に基づいて本考案を更に詳しく説明する。
本考案の構造はＭＰ4ビデオ・オーディオ画像再生装置と腕時計装置との2つの部分を含み、ＭＰ4ビデオ・オーディオ画像再生装置は腕時計のケース内に取り付けられている。図1に示す腕時計部分の表示パネルＡ１は、周知のものであり、ＬＣＡ液晶行針Ａ4にて時刻を表示し、ＬＣＤスキッピング文字Ａ5にて曜日、日付などを表示し、バンドＣ1とＣ2をケースの両端部に備える。この時計は、ＬＣＡ液晶行針Ａ4にて時刻を表示することに代えて、ＬＣＤスキッピング文字Ａ5にて時刻を表示することもできる。
【００１６】
図1、図2、図3に示すように、ＭＰ4ビデオ・オーディオ画像再生装置はスクリーン表示パネルＡ2と、制御パネルＢと、再生制御回路と、メモリＢ14とＵＳＢインターフェースＢ4とを含み、制御パネルＢとメモリＢ14は、それぞれ電気回路を介して、ケース内に設置された回路基板における再生回路と接続され、再生回路はＵＳＢインターフェースＢ4と接続され、前記ＭＰ4ビデオ・オーディオ画像再生装置のスクリーン表示パネルは腕時計と共用させて一つの表示パネルとすることができる、すなわちＡ1とＡ2を1つにすることができる。また単独に設置された一つの表示パネルＡ2であっても良い。特に、この単独に設置された表示パネルＡ2は、ＴＦＴ液晶画像スクリーン表示パネルであれば、ＭＰ4が再生するビデオ・オーディオ、画像、動画及びファイルを明瞭に表示できる。一つの表示パネルを共用すれば、時計の厚みが低減し、コストが降下し、時代の流れに乗ることができる。その際には、時刻の表示は、ＬＣＡ液晶行針Ａ4を用いずに、液晶表示パネルにて行う。このようにすると、制御パネルに制御ボタンを設置し、これで腕時計の時刻表示画面とＭＰ4が再生する画面を切り換えてもよい。表示パネルはＴＦＴ  ＬＣＤバックライト式カラー液晶表示パネルを用いる。
【００１７】
前記ＭＰ4ビデオ・オーディオ画像再生装置の制御パネルＢはケースに固定された軸によってケースに折り畳まれる、複数の制御ボタンが人為的に配列されるパネルであっても良いし、ケースに固定された、複数の制御ボタンが人為的に配列されたパネルであってもよい。図2に示すように、Ｂ1はモードボタン、Ｂ3は快速バックワードボタン、Ｂ5は再生ボタン、Ｂ6、Ｂ9は音量/選択制御ボタン、Ｂ8は快速ファーワードボタン、Ｂ11は停止ボタンである。これらのボタン及び制御回路によって再生機能が操作、制御される。勿論、複数の制御ボタンを人為的にケースの周縁における適当な位置に設置して、制御パネルＢを省略しても良い。そうすれば、時計の厚みが低減し、コストが降下し、時代の流れに乗ることができる。使用者のニーズに基づいて、図1、図2のようなパネル付きの様式にしてもよく、制御ボタンがケースの周縁における適当な位置に設置された様式にしても良い。Ｂ2は電源スイッチボタン、Ｂ4はＵＳＢインターフェースであり、いずれもケースの周縁に設置されている。勿論、電源スイッチボタンＢ2を制御パネルＢに設置してもよい。前記制御ボタンの位置の設計、変更は制御回路の接続関係に影響を及ぼさない。ＵＳＢインターフェースＢ4は、コンピューターへの接続に用いられ、アップロード/ダウンロードに使用するとともに、スピーカー又はイヤホーンと接続、又は電源と接続するのにも使用することができる。ケースの周縁にあるＢ7は音声情報を収集するための録音マイク、Ｂ10は録音ボタンであり、メモリＢ14と接続されており、収集した音声情報をメモリに記憶し、又はコンピューターのメモリに転送して記憶し、また電子メールにて外へ発信することもできる。勿論、録音ボタンＢ10は制御パネルＢに設置してもよい。前記の制御ボタンの設置位置は使用者のニーズや、製品の美観に応じて、本技術方案に基づいて合理的な設計をすればよい。
【００１８】
図3に示す通り、本考案のＭＰ4多機能腕時計のビデオ・オーディオ画像再生装置において、Ｂ12は時計のケースであり、その両端部はバンドＣ1及びＣ2と接続できる。Ｂ13はＭＰ4制御回路、Ｂ14はフラッシュディスクメモリであり、全てのＭＰ4のビデオ・オーディオ画像ファイル又はＭＰ3フォーマットの音楽ファイル及び録音収集された音声ファイルをこのメモリに記憶することができる。腕時計は人間につき従うため、人間が行くところには腕時計も行くことになるので、更に持ち運び可能なフラッシュディスクとして使用できる。Ｂ15は環境保護対応可能な内蔵式充電池、好ましくはリチウム電池であり、外部充電回路がＵＳＢインターフェースＢ4を介して充電池の充電回路に接続され、ＵＳＢケーブルを介してコンピュータから直接充電でき、またＵＳＢインターフェースのついた充電器に接続して交流電源から電気エネルギーを得ることもできる。Ｂ16はねじであり、ケースＢ12とボトム蓋Ｂ17とを連結し固定する。Ａ3はケースの上蓋ボディであり、腕時計のＬＣＤパネルＡ1及びＭＰ4  ＴＦＴ液晶表示パネルＡ2がそれぞれ該ボディの上面と下面に設置される。
【００１９】
使用時に、時刻を見る場合は普通の腕時計と同じように、直接表示パネルを見れば時間情報が得られる。ＭＰ4ビデオ・オーディオ画像再生装置を使用する時には、まず電源制御ボタンＢ2をＯＮにし、次いでモードボタンＢ1を調整し、見ようとするメニューを選択し、再生ボタンＢ5を押圧すれば、メモリに記憶した内容を見ることができるようになる。ＵＳＢケーブル及びＵＳＢインターフェースＢ4を介すれば、その他のコンピュータと接続し、又はインターネットに繋ぎ、以上の操作方式にてその他の情報を得ることができる。充電器と接続することと、スピーカーと接続することは、ＵＳＢケーブル及びＵＳＢインターフェースＢ4を介して、通常の方式にて実現できる。
【００２０】
図4は、前記本考案のＭＰ4多機能腕時計の回路原理図である。
【図面の簡単な説明】
【００２１】
【図１】本考案のＭＰ4多機能腕時計の平面図である。
【図２】本考案のＭＰ4多機能腕時計の模式図である。
【図３】本考案のＭＰ4多機能腕時計の構造を示す模式図である。
【図４】本考案のＭＰ4多機能腕時計の回路原理図である。
【図１】
0003106538.tif 000003
【図２】
0003106538.tif 000004
【図３】
0003106538.tif 000005
【図４】
0003106538.tif 000006